(57)【要約】【課題】外方へ出没自在に設けられた突出部を具えた電子機器において、蓋の操作に伴って、突出部を突出させると共に、突出部を突出状態にてロックする。【解決手段】電子機器は、外方へ出没自在に設けられた突出部61と、筐体13内に収納された収納位置に、又は、筐体13から突出した突出位置に突出部61をロックするロック機構81とを具えている。ロック機構81は、突出部61に接近離間自在に設けられた可動部材83と、突出部61に向かって可動部材83を付勢する付勢手段91とを有している。閉位置から開き方向に蓋体23を移動させると、可動部材83が突出部61から離間し、可動部材83の係合部85と突出部61の第１被係合部73との係合が解除される。突出部61が突出位置にある状態で、可動部材83が突出部61に接近すると、可動部材83の係合部85が、突出部61の第２被係合部75と係合する。【選択図】図４
2012220574.tif 000002
【特許請求の範囲】
【請求項１】
開口が形成された筐体と、前記開口に対して開閉自在に設けられた蓋体と、外方へ出没自在に設けられた突出部と、前記筐体内に収納された収納位置に、又は、前記筐体から突出した突出位置に前記突出部をロックするロック機構とを具えた電子機器において、
前記ロック機構は、前記突出部に接近離間自在に設けられた可動部材と、前記突出部に向かって前記可動部材を付勢する付勢手段とを有しており、前記可動部材は、前記収納位置において前記突出部に設けられた第１被係合部と係合する、又は、前記突出位置において前記突出部に設けられた第２被係合部と係合する係合部を有しており、  
閉位置から開き方向に前記蓋体を移動させると、前記蓋体と接触して押されることで前記可動部材が前記突出部から離間し、前記係合部と前記第１被係合部との係合が解除されて、前記突出部が前記開口を通って外方へ移動し、
前記突出部が前記突出位置にある状態で、前記可動部材が前記突出部に接近すると、前記可動部材の前記係合部が、前記突出部の前記第２被係合部と係合することを特徴とする電子機器。
【請求項２】
前記突出部を外方へ付勢する第２付勢手段を具える、請求項１に記載の電子機器。
【請求項３】
前記突出部は、外部装置と前記電子機器を接続するために使用する接続端子である、請求項１又は請求項２に記載の電子機器。
【発明の詳細な説明】
【技術分野】
【０００１】
本発明は、外方へ出没自在に設けられた突出部を具える電子機器に関する。
【背景技術】
【０００２】
ＩＣレコーダやデジタルカメラなどの電子機器は、外部装置に接続するための接続端子を具えている。一般に、このような接続端子は、外部からアクセス可能に筐体内に配置されており、当該端子と外部装置に設けられた端子とが、接続ケーブルを介して繋がれる。このような接続ケーブルを介した接続は煩わしいことから、外方へ出没自在に接続端子を機器本体に設けることで、当該接続端子を用いて、接続ケーブルを介することなく外部装置に接続できる電子機器が提案されている。
【０００３】
例えば、特許文献１には、機器本体の側面に回動蓋とＵＳＢ端子が回動自在に設けられた携帯機器が開示されている。機器本体の回動蓋とＵＳＢ端子の回動基端側には、ギアが夫々固定されており、回動蓋とＵＳＢ端子は、これらギアを介して、機器本体内に設けられたラック・ピニオン機構と連繋している(特許文献１の図１参照)。閉状態にて、回動蓋とＵＳＢ端子の基部とは、筐体の側面を構成するように配置されており、ＵＳＢ端子の先端側の部分が、回動蓋で覆われている(特許文献１の図２参照)。閉状態にて回動蓋を開方向に回転させると、ラック・ピニオン機構と連動してＵＳＢ端子が回転し、機器本体から外方に突出する。また、開状態にて回動蓋を閉方向に回転させると、ＵＳＢ端子が逆向きに回転して機器本体内に収納される。
【先行技術文献】
【特許文献】
【０００４】
【特許文献１】特開２００８−２４４９３１号公報
【発明の概要】
【発明が解決しようとする課題】
【０００５】
特許文献１に開示された携帯機器では、ＵＳＢ端子の収納時にて、ＵＳＢ端子へのアクセスが回動蓋で遮断される。このように、機器本体又はその筐体に出没自在に設けられた接続端子を具える電子機器には、収納時に接続端子を隠すような蓋が設けられるのが好ましい。しかしながら、特許文献１の携帯機器に開示された機構は、このような蓋を有するものの、ＵＳＢ端子が収納位置と突出位置にロックされない点で好ましくない。
【０００６】
本発明は上記課題に鑑みて為されたものであり、外方へ出没自在に設けられた突出部を具えた電子機器において、蓋の操作に伴って、筐体から外方に突出部を突出させると共に、突出部を突出状態にてロックする技術を提供する。
【課題を解決するための手段】
【０００７】
本発明の電子機器は、開口が形成された筐体と、前記開口に対して開閉自在に設けられた蓋体と、外方へ出没自在に設けられた突出部と、前記筐体内に収納された収納位置に、又は、前記筐体から突出した突出位置に前記突出部をロックするロック機構とを具えた電子機器において、前記ロック機構は、前記突出部に接近離間自在に設けられた可動部材と、前記突出部に向かって前記可動部材を付勢する付勢手段とを有しており、前記可動部材は、前記収納位置において前記突出部に設けられた第１被係合部と係合する、又は、前記突出位置において前記突出部に設けられた第２被係合部と係合する係合部を有しており、閉位置から開き方向に前記蓋体を移動させると、前記蓋体と接触して押されることで前記可動部材が前記突出部から離間し、前記係合部と前記第１被係合部との係合が解除されて、前記突出部が前記開口を通って外方へ移動し、前記突出部が前記突出位置にある状態で、前記可動部材が前記突出部に接近すると、前記可動部材の前記係合部が、前記突出部の前記第２被係合部と係合することを特徴とする。
【０００８】
さらに、本発明の電子機器は、前記突出部を外方へ付勢する第２付勢手段を具えている。また、本発明の電子機器では、前記突出部は、外部装置と前記電子機器を接続するために使用する接続端子であってよい。
【発明の効果】
【０００９】
本発明では、蓋体を開ける操作を行うことで、付勢手段の付勢力に抗して収納位置における接続端子のロック状態が解除されて、接続端子が筐体の開口を通って外方へ移動可能な状態になる。そして、接続端子が筐体から突出すると、付勢手段の付勢力が働いて、接続端子が突出位置にロック可能な状態になる。つまり、本発明によれば、閉位置から開位置に蓋体を移動させるという簡単な操作を行うだけで、収納位置にロックされた突出部を筐体から突出させて、突出位置にて再度ロックすることができる。
【図面の簡単な説明】
【００１０】
【図１】図１は、本発明の実施例の撮像装置を前方から見た斜視図である。
【図２】図２は、本発明の実施例の撮像装置を後方から見た斜視図である。
【図３】図３は、本発明の実施例の撮像装置を後方から見た斜視図であって、接続端子が筐体から突出した状態を示している。
【図４】図４は、図２に示すＡ−Ａ線を通る平面で、本発明の実施例の撮像装置を破断して矢印方向に見た部分断面図である。
【図５】図５は、本発明の実施例の撮像装置が具える可動部材の斜視図である。
【図６】図６は、本発明の実施例の撮像装置が具える蓋体の斜視図である。
【図７】図７は、本発明の実施例の撮像装置の接続端子が、開口を通って外方に飛び出す模様を示す部分断面図である。
【図８】図８は、本発明の実施例の撮像装置の接続端子が突出状態にある模様を示す部分断面図である。
【発明を実施するための形態】
【００１１】
以下、本発明の実施例を図面を用いて詳述する。図１は、本発明の実施例である撮像装置(11)を前方から見た斜視図であり、図２は、撮像装置(11)を後方から見た斜視図である。撮像装置(11)は、その本体部を構成する略直方体の筐体(13)を具えており、筐体(13)の前面には、撮像レンズ(15)やストロボ部(17)が配置されている。筐体(13)の背面には、撮影した画像を表示したり、電子ビューファインダとして機能する表示部(19)(例えば、液晶表示装置)が設けられている。
【００１２】
筐体(13)の底面部(21)には、筐体(13)又は底面部(21)の長手方向に沿ってスライドする蓋体(23)が設けられている。図２は、蓋体(23)が閉位置にある模様を示している。図３に示すように、蓋体(23)をスライドさせて、底面部(21)に形成された略矩形の窪み(25)上に配置すると、つまり、蓋体(23)を開き方向に移動させると、底面部(21)に開設された略矩形の開口(27)を通って、筐体(13)内に収納されていた接続端子(61)が自動的に突出する。図２に示す閉状態にて、蓋体(23)は、筐体(13)に収納された接続端子(61)が露出しないように開口(27)を覆い、接続端子(61)に異物が入ることを防止している。
【００１３】
接続端子(61)は、図示を省略した外部装置に撮像装置(11)を接続し、画像データなどを外部装置との間でやり取りされるために使用される。本実施例では、接続端子(61)は、ＵＳＢ端子(オス(plug))である。本実施例の撮像装置(11)では、図３に示すような突出位置(つまり、使用位置)で接続端子(61)をロックすることができ、撮像装置(11)の接続端子(61)を、外部装置に設けられた接続端子(メス(receptacle))に容易に嵌め合わすことが可能とされている。
【００１４】
図２に示す閉状態では、筐体(13)内にて、撮像装置(11)の接続端子(61)は収納位置にロックされている。本実施例の撮像装置(11)では、図２に示す閉位置から開き方向に蓋体(23)を移動させると、このスライド操作に伴って、接続端子(61)のロックが解除されて、図３に示すように、接続端子(61)が筐体(13)から自動的に突出する。そして、蓋体(23)を開位置に固定すると、接続端子(61)が突出位置に再度ロックされる。なお、接続端子(61)は部分的に筐体(13)から突出し、接続端子(61)の後端部又は基端部は、突出位置でも筐体(13)内に配置される(図８参照)。
【００１５】
図４は、図２に示すＡ−Ａ線を通る平面で撮像装置(11)を破断して矢印方向に見た部分断面図である。蓋体(23)は閉位置にあって、筐体(13)の底面部(21)の開口(27)を覆うように配置されている。蓋体(23)の裏面には、第１凹部(31)が形成されており、筐体(13)内に固定されたフレーム部材(29)に設けられた板バネ(33)の先端部が、第１凹部(31)に嵌まることで、蓋体(23)は、閉位置に固定又はロックされている。
【００１６】
図４において、蓋体(23)又は開口(27)の上方には、接続端子(61)が配置されている。蓋体(23)の大きさは、開口(27)よりも大きく、開口(27)の大きさは、接続端子(61)の断面よりも大きい。接続端子(61)は、扁平な角筒状の金属製の外枠(63)と、該外枠(63)内に配置された略矩形板状のプラグ部材(65)とを具えている。フレーム部材(29)には、有底の角筒状に形成されたガイド部(35)が設けられており、接続端子(61)は、筐体(13)の底面部(21)に対して垂直な方向に沿って摺動自在にガイド部(35)に挿入されている。フレーム部材(29)のガイド部(35)の側壁には、接続端子(61)の摺動方向に沿って長孔(37)が開設されており、接続端子(61)の外枠(63)には長孔(37)に嵌まる凸部(67)が突設されている。
【００１７】
接続端子(61)の上端(図４において下側)は、蓋体(23)の裏面と対向するように配置され、ガイド部(35)の底部と、接続端子(61)の下端(図４において上側)との間には、蓋体(23)又は開口(27)に向かって接続端子(61)を付勢する端子付勢手段(71)が設けられている。本実施例では、端子付勢手段(71)として巻きバネが使用されているが、板バネなどのその他の付勢手段が使用されてもよい。
【００１８】
筐体(13)内にて、接続端子(61)は、ロック機構(81)により収納位置にロックされている。ロック機構(81)は、図５に示すような、係合凸部(85)が先端に形成された可動部材(83)を具えている。可動部材(83)の両側面には夫々、凸条(87)(87)が突設されている。フレーム部材(29)には、一対のガイド壁(39)(39)が平行に設けられており(図４では、一方のガイド壁(39)のみが示されている)、可動部材(83)の凸条(87)(87)は、これらガイド壁(39)(39)形成された溝(41)(41)に嵌められる。ガイド壁(39)(39)又は溝(41)(41)は、可動部材(83)が、孔(73)(75)が開設された外枠(63)の側壁(69)に直交する方向に沿って摺動するように設けられており、可動部材(83)は接続端子(61)に近接離間可能である。可動部材(83)の後端には、蓋体(23)に又は筐体(13)の底面部(21)に向かって延出する壁部(89)が形成されている。当該壁部(89)は、後述するように、接続端子(61)のロック状態の解除に使用される。
【００１９】
ロック機構(81)は、接続端子(61)に向かって可動部材(83)を付勢する可動部材付勢手段(91)を具えている。本実施例では、可動部材付勢手段(91)は巻きバネであって、当該巻きバネは、可動部材(83)の背面と当該背面に対向するフレーム部材(29)の壁面との間に配置される。なお、板バネなどのその他の付勢手段が可動部材付勢手段(91)として使用されてもよい。
【００２０】
外枠(63)の側壁(69)にて、接続端子(61)の先端側に開設された第１孔(73)は、接続端子(61)の収納位置に対応しており、後端側に開設された第２孔(75)は、接続端子(61)の突出位置に対応している。図４に示す収納位置では、可動部材(83)が接続端子(61)に向かって押された状態で、係合凸部(85)が第１孔(73)に挿入されることで、蓋体(23)又は開口(27)に向かう接続端子(61)の移動が規制されて、接続端子(61)の位置が固定されている。
【００２１】
図６は、蓋体(23)の斜視図である。蓋体(23)の両側面には、凸条(43)(43)が夫々形成されている。これら凸条(43)(43)は、開口(27)及び窪み(25)を挟むように筐体(13)の底面部(21)に形成された一対のガイド溝(45)(45)に嵌められる(図４では、一方のガイド溝(45)のみが示されている)。ガイド溝(45)(45)は、底面部(21)の長手方向に沿って形成されている。
【００２２】
蓋体(23)のおもて面には、蓋体(23)の一端側にて、蓋体(23)をスライドさせる際に、使用者の指の爪が嵌まる窪み(47)が形成されている。また、蓋体(23)の他端側では、蓋体(23)の裏面から一対の突起部(49)(49)が突出している。これら突起部(49)(49)は、凸条(43)(43)に近接して配置されており、突起部(49)(49)の間隔は、接続端子(61)の厚さよりも長くなっている。なお、何れかの突起部(49)(49)のみが蓋体(23)に設けられてもよい。
【００２３】
使用者が、図３及び図４に示す閉位置から開き方向に蓋体(23)をスライドさせると、蓋体(23)の下面の突起部(49)(49)が、可動部材(83)に向かって移動する。突起部(49)(49)の間隔は、接続端子(61)の厚さよりも長いことから、突起部(49)(49)は、接続端子(61)と干渉することなく移動し、可動部材(83)の壁部(89)と当接する。使用者が、可動部材付勢手段(91)の付勢力に抗して、さらに蓋体(23)を移動させると、可動部材(83)が接続端子(61)から離れるように移動して、係合凸部(85)が、接続端子(61)の外枠(63)の第１孔(73)から抜け出る。その結果、収納位置における接続端子(61)のロック状態が解除され、図７に示すように、端子付勢手段(71)の付勢力が働いて、接続端子(61)は開口(27)を通って外方に飛び出す。
【００２４】
接続端子(61)の外枠(63)の凸部(67)が、フレーム部材(29)のガイド部(35)の長孔(37)の一端に至ると、接続端子(61)は停止する。この状態にて、使用者が蓋体(23)を閉じ方向に若干戻すと、可動部材付勢手段(91)の付勢力が作用して、可動部材(83)が接続端子(61)に向かって移動する。そして、図８に示すように、接続端子(61)の外枠(63)の第２孔(75)に可動部材(83)の係合凸部(85)が挿入される。可動部材(83)が接続端子(61)に向かって押された状態で、可動部材(83)の係合凸部(85)が第２孔(75)に挿入されるので、接続端子(61)の移動は規制され、ロック機構(81)により、接続端子(61)は突出位置にロックされる。また、図７に示す状態から、蓋体(23)を閉じ方向に若干戻すと、蓋体(23)の裏面に形成された第２凹部(51)に、板バネ(33)の先端部が嵌まることで、蓋体(23)が開位置にロックされる。開位置では、可動部材(83)の壁部(89)と蓋体(23)の突起部(49)(49)との接触が解除されている。
【００２５】
突出位置にロックされた接続端子(61)を図４に示す収納位置に戻す場合には、図８に示す状態から蓋体(23)を開き方向に若干スライドさせて、ロック機構(81)によるロックを解除した後に、指で接続端子(61)を筐体(13)内に押し込み、閉位置に向かって又は閉じ方向に蓋体(23)をスライドさせれば良い。蓋体(23)を閉じると、図４に示すように、接続端子(61)の第１孔(73)に可動部材(83)の係合凸部(85)が挿入されて、接続端子(61)は、収納位置にロックされる。
【００２６】
上記実施例にあっては、端子付勢手段(71)を用いて、筐体(13)の外方へ、又は開口(27)に向かう方向に接続端子(61)を付勢したが、端子付勢手段(71)は省略されても良い。端子付勢手段(71)を省略した構成であっても、蓋体(23)を閉じた状態の筐体(13)の底面部(21)を鉛直下向きにして蓋体(23)を開ければ、接続端子(61)は自重によって開口(27)から外方へ移動し、図８に示す突出位置に配置される。接続端子(61)が開口(27)から突出した状態で、上述したように蓋体(23)を操作すると、接続端子(61)は突出位置でロックされる。また、接続端子(61)を筐体(13)に収納する際には、筐体(13)の底面部(21)を鉛直上向きにして蓋体(23)を開く方向に若干スライドさせてロックを解除すれば、接続端子(61)はその自重によって鉛直下向きに移動して筐体(13)の内部に収納される。その後、蓋体(23)を閉じると、接続端子(61)は、収納位置にロックされる。
【００２７】
上記実施例にあっては、可動部材(83)の係合凸部(85)が、接続端子(61)の外枠(63)の第１孔(73)又は第２孔(75)に挿入されて、これら孔(73)(75)と係合することで、接続端子(61)は、収納位置又は突出位置にロックされている。しかしながら、接続端子(61)の外枠(63)の第１孔(73)又は第２孔(75)の位置に夫々凸部を設けると共に、可動部材(83)の先端にこれら凸部が嵌合する係合凹部や係合穴が形成されてもよい。可動部材(83)に形成された係合部の形態と、収納位置と突出位置に応じて接続端子(61)に夫々設けられる被係合部の形態とは、当該係合部が当該被係合部と係合することで接続端子(61)がロックされる限りにおいて、特に限定されない。
【００２８】
上記実施例にあっては、接続端子(61)を筐体(13)に収納するための蓋体(23)としてスライド式のものを用いたが、本発明は、回動式の蓋体を有する電子機器にも適用可能である。回動式の蓋体を有する電子機器の場合、閉位置から開位置への蓋体の回動又は移動に伴って、上記実施例のように可動部材(83)を移動させる機構を電子機器に設けることで、本発明を実現できる。
【００２９】
上記実施例では、本発明の電子機器として撮像装置を例示したが、例えば、ＩＣレコーダ、ＰＤＡやスマートフォンなどの携帯型情報端末、携帯型ゲーム機、ハードディスクドライブなどであっても良い。
【００３０】
上記実施例では、接続端子(61)が筐体(13)から出没自在に設けられていたが、本発明の突出部は、ＵＳＢ端子のような接続端子に限定されない。本発明において、筐体から出没自在に設けられる突出部は、例えば、音声を表すオーディオ信号を入出力するためのオーディオ端子、電力の供給を受けるための電源端子、ストロボ、マイクロホンやスピーカ、アンテナなどであってもよい。
【００３１】
上記実施例の説明は、本発明を説明するためのものであって、特許請求の範囲に記載の発明を限定し、或いは範囲を限縮して解釈するべきではない。又、本発明の各部構成は、上記実施例に限定されるものではなく、特許請求の範囲に記載の技術的範囲内で種々の変形可能であることは勿論である。
【産業上の利用可能性】
【００３２】
本発明は、外方へ出没自在に設けられた突出部を具えた電子機器として有用である。
【符号の説明】
【００３３】
(11)  撮像装置
(13)  筐体
(21)  底面部
(23)  蓋体
(27)  開口
(49)  突起部
(61)  接続端子
(71)  端子付勢手段
(73)  第１孔
(75)  第２孔
(81)  ロック機構
(83)  可動部材
(85)  係合凸部
(89)  壁部
(91)  可動部材付勢手段
【図１】
2012220574.tif 000003
【図２】
2012220574.tif 000004
【図３】
2012220574.tif 000005
【図４】
2012220574.tif 000006
【図５】
2012220574.tif 000007
【図６】
2012220574.tif 000008
【図７】
2012220574.tif 000009
【図８】
2012220574.tif 000010